(57)【要約】タッチパネルは、第１の方向に配列され第１の方向と交差する第２の方向に細長く延びる複数の帯状の送信電極と、前記複数の送信電極にそれぞれ接続された複数の配線とを備える。前記複数の送信電極は、前記第１の方向において互いに隣り合う第１の送信電極と第２の送信電極とを含む。前記複数の配線は、前記第１の送信電極の一端側に接続された第１の配線と、前記第２の送信電極の前記一端側と第２の方向において反対側の他端側に接続された第２の配線とを含む。前記第１の送信電極と前記第２の送信電極とは、前記第１の配線と前記第２の配線とを介してそれぞれ入力された第１の信号と第２の信号とにより同時に駆動される。このタッチパネルは検出精度に優れる。
2018074246.tif 000002
【特許請求の範囲】
【請求項１】
第１の方向に配列されて、前記第１の方向に交差する第２の方向に細長く延びる帯形状を有する複数の送信電極と、
前記複数の送信電極にそれぞれ接続された複数の配線と、
を備え、
前記複数の送信電極は、前記第１の方向において互いに隣り合う第１の送信電極と第２の送信電極とを含み、
前記複数の配線は、前記第１の送信電極に接続された第１の配線と、前記第２の送信電極に接続された第２の配線とを含み、
前記第１の送信電極は、前記第１の配線が接続された一端と開放端である他端とを有して前記第２の方向に前記一端から前記他端まで細長く延びており、
前記第２の送信電極は、前記第２の配線が接続された一端と開放端である他端とを有して前記第２の方向と反対の方向に前記一端から前記他端まで細長く延びており、
前記第１の送信電極と前記第２の送信電極とは、前記第１の配線と前記第２の配線とを介してそれぞれ入力された第１の信号と第２の信号とにより同時に駆動される、タッチパネル。
【請求項２】
前記第１の送信電極と前記第２の送信電極とは実質的に同じ形状を有して同じ材質よりなる、請求項１に記載のタッチパネル。
【請求項３】
前記第１の信号は前記第２の信号と同じである、請求項１または２に記載のタッチパネル。
【請求項４】
前記第１の方向と前記第２の方向とに交差する第３の方向に前記複数の送信電極と間隔を空けて対向する１つ以上の受信電極をさらに備えた、請求項１から３のいずれか一項に記載のタッチパネル。
【請求項５】
前記１つ以上の受信電極は、前記第２の方向に配列されてかつ前記第１の方向に細長く延びる帯形状を実質的に有する、請求項４に記載のタッチパネル。
【請求項６】
請求項１から５のいずれか一項に記載のタッチパネルと、
前記第１の信号と前記第２の信号とを前記タッチパネルに供給する制御部と、
を備えたタッチパネル装置。
【請求項７】
第１の方向に配列された複数の第１の送信電極と複数の第２の送信電極と、
前記複数の第１の送信電極にそれぞれ接続された複数の第１の配線と、
前記複数の第２の送信電極にそれぞれ接続された複数の第２の配線と、
を備え、
前記複数の第１の送信電極は、前記第１の配線が接続された一端と開放端である他端とをそれぞれ有して前記第１の方向に交差する第２の方向に前記一端から前記他端まで細長く延びる帯形状を実質的に有し、
前記複数の第２の送信電極は、前記第２の配線が接続された一端と開放端である他端とをそれぞれ有して前記第２の方向と反対の方向に前記一端から前記他端まで細長く延びる帯形状を実質的に有し、
前記複数の第１の送信電極のうちの１つの第１の送信電極は、前記複数の第２の送信電極のうちの１つの第２の送信電極と前記第１の方向において隣り合っており、
前記１つの第１の送信電極は、前記複数の第１の配線のうちの１つの第１の配線が接続された一端と開放端である他端とを有して前記第２の方向に前記一端から前記他端まで細長く延びており、
前記１つの第２の送信電極は、前記複数の第２の配線のうちの１つの第２の配線が接続された一端と開放端である他端とを有して前記第２の方向と反対の前記方向に前記一端から前記他端まで細長く延びており、
前記１つの第１の送信電極と前記１つの第２の送信電極とは、前記１つの第１の配線と前記１つの第２の配線とを介してそれぞれ入力された第１の信号と第２の信号とにより同時に駆動される、タッチパネル。
【請求項８】
前記複数の第１の送信電極と前記複数の第２の送信電極とは実質的に同じ形状を有して同じ材質よりなる、請求項７に記載のタッチパネル。
【請求項９】
前記第１の信号は前記第２の信号と同じである、請求項７または８に記載のタッチパネル。
【請求項１０】
前記複数の第１の送信電極と前記複数の第２の送信電極とは前記第１の方向において交互に配列されている、請求項７から９のいずれか一項に記載のタッチパネル。
【請求項１１】
前記複数の第１の送信電極のうちの任意の第１の送信電極は、前記複数の第２の送信電極のうちの所定の第２の送信電極と前記第１の方向において互いに隣り合っており、
前記任意の第１の送信電極は、前記複数の第１の配線のうちの所定の第１の配線が接続された一端と開放端である他端とを有して前記第２の方向に前記一端から前記他端まで細長く延びており、
前記所定の第２の送信電極は、前記複数の第２の配線のうちの所定の第２の配線が接続された一端と開放端である他端とを有して前記第２の方向と反対の前記方向に前記一端から前記他端まで細長く延びており、
前記任意の第１の送信電極と前記所定の第２の送信電極とは、前記所定の第１の配線と前記所定の第２の配線とを介してそれぞれ入力された所定の信号と更なる所定の信号とにより同時に駆動される、請求項１０に記載のタッチパネル。
【請求項１２】
前記所定の信号は前記更なる所定の信号と同じである、請求項１１に記載のタッチパネル。
【請求項１３】
前記複数の第１の送信電極と前記複数の第２の送信電極は実質的に同じ形状を有して同じ材質よりなる、請求項７から１２のいずれか一項に記載のタッチパネル。
【請求項１４】
前記第１の方向と前記第２の方向とに交差する第３の方向に前記複数の第１の送信電極と前記複数の第２の送信電極と間隔を空けて対向する１つ以上の受信電極をさらに備えた、請求項７から１３のいずれか一項に記載のタッチパネル。
【請求項１５】
前記１つ以上の受信電極は、前記第２の方向に配列されてかつ前記第１の方向に細長く延びる帯形状を実質的に有する、請求項１４に記載のタッチパネル。
【請求項１６】
前記１つ以上の受信電極は複数の受信電極を含む、請求項１４または１５に記載のタッチパネル。
【請求項１７】
請求項７から１６のいずれか一項に記載のタッチパネルと、
前記第１の信号と前記第２の信号とを前記タッチパネルに供給する制御部と、
を備えたタッチパネル装置。
【請求項１８】
請求項１１または１２に記載のタッチパネルと、
前記第１の信号と前記第２の信号と前記所定信号と前記更なる所定信号とを前記タッチパネルに供給する制御部と、
を備えたタッチパネル装置。
【請求項１９】
第１の方向に配列されて、前記第１の方向に交差する第２の方向に細長く延びる帯形状を有する複数の横電極と、
前記複数の横電極にそれぞれ接続された複数の配線と、
を備えたタッチパネルであって、
前記複数の横電極は、前記第１の方向において互いに隣り合う第１の横電極と第２の横電極とを含み、
前記複数の配線は、前記第１の横電極に接続された第１の配線と、前記第２の横電極に接続された第２の配線とを含み、
前記第１の横電極は、前記第１の配線が接続された一端と開放端である他端とを有して前記第２の方向に前記一端から前記他端まで細長く延びており、
前記第２の横電極は、前記第２の配線が接続された一端と開放端である他端とを有して前記第２の方向と反対の方向に前記一端から前記他端まで細長く延びており、
前記第１の横電極と前記第２の横電極から前記第１の配線と前記第２の配線とを介してそれぞれ同時に得られた第１の信号と第２の信号とを検出する、タッチパネル。
【発明の詳細な説明】
【技術分野】
【０００１】
本発明は、各種電子機器などに用いられるタッチパネルに関する。
【背景技術】
【０００２】
電子機器は、表示部の前方に静電容量式のタッチパネルを搭載した入力操作部を有する。操作者は、透明なタッチパネルを通じて表示部の内容を視認し、タッチパネルへの指等でのタッチ操作で電子機器の所定機能を選択して動作させる。【０００３】
特許文献１に開示されている静電容量式のタッチパネルは、互いに交差する方向に配列して形成された複数の帯状の送信電極と複数の帯状の受信電極とを含む。このタッチパネルでは、個々の送信電極を一本ずつ順に駆動していき、送信電極からの電界を受信電極で受信し、受信した電界の強度に応じて得られる静電容量の変化に基づいてタッチ操作された位置を検出する。
【先行技術文献】
【特許文献】
【０００４】
【特許文献１】特開２０１４−８１８７０号公報
【発明の概要】
【０００５】
タッチパネルは、第１の方向に配列された複数の送信電極と、前記複数の送信電極にそれぞれ接続された複数の配線とを備える。複数の送信電極は、前記第１の方向に交差する第２の方向に細長く延びる帯形状を有する。前記複数の送信電極は、前記第１の方向において互いに隣り合う第１の送信電極と第２の送信電極とを含む。前記複数の配線は、前記第１の送信電極に接続された第１の配線と、前記第２の送信電極に接続された第２の配線とを含む。前記第１の送信電極は、前記第１の配線が接続された一端と開放端である他端とを有して前記第２の方向に前記一端から前記他端まで細長く延びる。前記第２の送信電極は、前記第２の配線が接続された一端と開放端である他端とを有して前記第２の方向と反対の方向に前記一端から前記他端まで細長く延びる。前記第１の送信電極と前記第２の送信電極とは、前記第１の配線と前記第２の配線とを介してそれぞれ入力された第１の信号と第２の信号とにより同時に駆動される。
【０００６】
このタッチパネルは検出精度に優れる。
【図面の簡単な説明】
【０００７】
【図１Ａ】図１Ａは実施形態によるタッチパネルの上面図である。
【図１Ｂ】図１Ｂは図１Ａに示すタッチパネルの線１Ｂ−１Ｂにおける模式的な断面図である。
【図２】図２は実施形態によるタッチパネルの送信電極を模式的に示す平面図である。
【図３】図３は実施形態によるタッチパネルの受信電極を模式的に示す平面図である。
【図４】図４は実施形態によるタッチパネル装置のブロック図である。
【図５】図５は実施形態によるタッチパネルの送信電極と受信電極との間の容量値を示す図である。
【図６】図６は実施形態によるタッチパネルの送信電極と受信電極との間の容量値を示す図である。
【図７】図７は実施形態によるタッチパネルの比較例の動作における送信電極と受信電極との間の容量値を示す図である。
【図８】図８は実施形態によるタッチパネルの比較例の動作における送信電極と受信電極との間の容量値を示す図である。
【図９】図９は実施形態によるタッチパネルの比較例の動作における送信電極と受信電極との間の容量値を示す図である。
【図１０】図１０は実施形態によるタッチパネルの他の動作を示す平面図である。
【発明を実施するための形態】
【０００８】
図１Ａは実施形態によるタッチパネル５００の上面図である。図１Ｂは図１Ａに示すタッチパネル５００の線１Ｂ−１Ｂにおける模式的な断面図である。タッチパネル５００は、基板１００と、送信電極１１０と、送信電極１１０に接続された配線１５０と、基板２００と、受信電極２２０と、受信電極２２０に接続された配線２５０とを有する。基板１００、２００は透明性を有する。基板１００、２００は、例えばＰＥＴ等の樹脂シートやガラス等の透明性を有する材質よりなる。基板１００、２００は例えば矩形状の外形を有する。タッチパネル５００は、検知領域５００Ａ内で指等の対象物で接触した位置を検知することができる。
【０００９】
図２は送信電極１１０を模式的に示す平面図である。図３は受信電極２２０を模式的に示す平面図である。基板１００の上面１００Ａには帯形状を有する複数の送信電極１１０が形成されている。基板２００の上面２００Ａには帯形状を有する複数の受信電極２２０が形成されている。送信電極１１０と受信電極２２０は透明性を有する。送信電極１１０と受信電極２２０は例えばＩＴＯや透明性および導電性を有する樹脂等の透明性および導電性を有する材質よりなる。送信電極１１０と受信電極２２０は、メッシュ状に配置された銅や銀などの導電金属製の金属細線により形成されてもよい。金属細線の線幅は例えば数μｍである。上方から見た平面視で、複数の送信電極１１０は方向Ｙ１に配列されている。複数の受信電極２２０は、方向Ｙ１に交差する方向Ｘ１に配列されている。実施形態では方向Ｘ１は方向Ｙ１に直角であるが、交差する限り直角でなくてもよい。受信電極２２０は方向Ｙ１、Ｘ１に交差する方向Ｚ１に送信電極１１０と間隔を空けて対向する。図１Ａに示すように、送信電極１１０と受信電極２２０は上方から見た平面視で検知領域５００Ａ内に位置する。
【００１０】
基板１００の上面１００Ａと基板２００の下面２００Ｂは、図１Ｂに示すように、送信電極１１０を形成した上面１００Ａと受信電極２２０を形成した上面２００Ａを同じ方向に向けて透明性を有する粘着層３００で貼り合せられている。つまり、基板１００と基板２００とは積層状態で一体化されている。さらに、基板２００において基板１００を配置した側とは反対の上面２００Ａに透明性を有する粘着層３１０が設けられている。タッチパネル５００は、カバーレンズ６００に粘着層３１０を介して貼り合わされて電子機器に搭載される。
【００１１】
次に、図２を用いて、送信電極１１０と配線１５０について説明する。
【００１２】
図２に示したように、複数の送信電極１１０は方向Ｙ１に所定のピッチで配列されている。実施形態ではピッチは一定である。複数の送信電極１１０は方向Ｘ１に互いに平行に直線的に細長く延びる帯形状を有する。複数の送信電極１１０は実質的に同じ形状を有し、同じ材質よりなる。詳細には、複数の送信電極１１０は平行移動して実質的に重なる同じ形状を有する。
【００１３】
複数の送信電極１１０は送信電極１２０（１２０Ａ、１２０Ｂ、…）と送信電極１３０（１３０Ａ、１３０Ｂ、…）とを含む。複数の配線１５０は配線１６０（１６０Ａ、１６０Ｂ、…）と複数の配線１７０（１７０Ａ、１７０Ｂ、…）とを含む。送信電極１２０の方向Ｘ１の端部には配線１５０のうちの配線１６０が接続されている。送信電極１２０の方向Ｘ１の反対の方向Ｘ２の端部は開放端である。配線１６０の、送信電極１２０に接続された端部の反対側の端部には端子１６５が設けられている。送信電極１３０の方向Ｘ２の端部には配線１５０のうちの配線１７０が接続されている。送信電極１３０の方向Ｘ１の端部は開放端である。配線１７０の、送信電極１３０に接続された端部の反対側の端部には端子１７５が設けられている。
【００１４】
図２に示すように、送信電極１２０Ａは方向Ｘ１すなわち方向Ｘ２に細長く延びる。送信電極１２０Ａの方向Ｘ１の端部には配線１６０Ａが接続されている。送信電極１２０Ａの方向Ｘ２の端部は開放端である。配線１６０Ａは、送信電極１２０Ａに接続された端部から基板１００の方向Ｘ１の周縁部を引き回されている。配線１６０Ａの先端には端子１６５Ａが設けられている。
【００１５】
送信電極１３０Ａは、送信電極１２０Ａから方向Ｙ２に所定間隔をあけて配置されている。送信電極１３０Ａは送信電極１２０Ａと平行に延びる。送信電極１３０Ａの方向Ｘ１の端部は開放端である。送信電極１３０Ａの方向Ｘ２の端部には配線１７０Ａが接続されている。配線１７０Ａは、送信電極１３０Ａと接続された端部から基板１００の方向Ｘ２の周縁部を引き回されている。配線１７０Ａの先端には端子１７５Ａが設けられている。
【００１６】
送信電極１２０Ｂは、送信電極１３０Ａから方向Ｙ２に所定間隔をあけて配置されている。送信電極１２０Ｂは送信電極１３０Ａと平行に延びる。送信電極１２０Ｂの方向Ｘ１の端部には配線１６０Ｂが接続されている。送信電極１２０Ｂの方向Ｘ２の端部は開放端である。配線１６０Ｂは、配線１６０Ａと同様に、送信電極１２０Ｂと接続された端部から基板１００の方向Ｘ１の周縁部を引き回されている。配線１６０Ｂの先端には端子１６５Ｂが設けられている。
【００１７】
送信電極１３０Ｂは、送信電極１２０Ｂから方向Ｙ２に所定間隔をあけて配置されている。送信電極１３０Ｂは送信電極１２０Ｂと平行に延びる。送信電極１３０Ｂの方向Ｘ１の端部は開放端であり、方向Ｘ２の端部には配線１７０Ｂが接続されている。配線１７０Ｂは、送信電極１３０Ｂと接続された端部から基板１００の方向Ｘ２の周縁部を引き回されている。配線１７０Ｂの先端には端子１７５Ｂが設けられている。このように、方向Ｙ２において複数の送信電極１２０と複数の送信電極１３０とは交互に配置されている。
【００１８】
以上のように、複数の送信電極１１０は、方向Ｙ２に送信電極１２０Ａ、１３０Ａ、１２０Ｂ、１３０Ｂ、…の順に基板１００の上面１００Ａ上に配列されるように配置されている。
【００１９】
なお、図２は送信電極１１０のうちの送信電極１２０Ａ〜１２０Ｃ、１３０Ａ、１３０Ｂを示す。図２に示す実施形態による送信電極１１０のそれぞれは、定ピッチで方向Ｘ２（Ｘ１）に配列されて互いに接続された複数の矩形部１１０Ｐを有するが、送信電極１１０の形状は限定されない。送信電極１１０は、例えば矩形部１１０Ｐを有していない直線形状や矩形部１１０Ｐ以外の形状を含む形状を有していてもよい。複数の送信電極１１０は、方向Ｘ１からみて全て実質的に同じ形状を有している。すなわち、実質的に平行移動して重なる同じ形状を有することが好ましい。さらに、送信電極１１０のそれぞれ、例えば送信電極１２０Ｂは、方向Ｘ１（Ｘ２）における中央位置Ｃ０を通り方向Ｘ１（Ｘ２）と平行の直線Ｌ１について線対称であり、かつ方向Ｙ１（Ｙ２）における中央位置Ｃ０を通り方向Ｙ１（Ｙ２）に直角の直線Ｌ２について線対称であることが好ましい。
【００２０】
配線１５０は、銅などの導電金属よりなることが望ましいが、送信電極１１０と同じ材質よりなっていてもよい。配線１５０は、メッシュ状に配置された銅や銀などの導電金属製の金属細線より形成されていてもよい。金属細線の線幅は例えば数μｍである。
【００２１】
次に受信電極２２０について図３を用いて説明する。受信電極２２０は、図３に示すように、送信電極１１０と同様に直線状に延びる帯形状を実質的に有する。複数の受信電極２２０は方向Ｙ１で互いに平行に細長く延びる帯形状を実質的に有する。図３に示す実施形態による受信電極２２０のそれぞれは、定ピッチで方向Ｙ２（Ｙ１）に配列されて互いに接続された複数の矩形部２２０Ｐを有するが、受信電極２２０の形状は限定されない。受信電極２２０は、例えば矩形部２２０Ｐを有していない直線形状や矩形部２２０Ｐ以外の形状を含む形状を有していてもよい。複数の受信電極２２０は方向Ｘ１（Ｘ２）において所定ピッチで配置されている。実施形態では所定ピッチは一定である。受信電極２２０の方向Ｙ２の端部には配線２５０が接続されている。配線２５０の受信電極２２０に接続された端部の反対側の先端には端子２６５が設けられている。なお、配線２５０は、銅などの導電金属よりなることが望ましいが、受信電極２２０と同じ材質より形成されていてもよい。受信電極２２０および配線２５０は、メッシュ状に配置された銅や銀などの導電金属製で数μｍの線幅の金属細線より形成されていてもよい。
【００２２】
図４は実施形態によるタッチパネル装置８００のブロック図である。タッチパネル装置８００は、タッチパネル５００と、タッチパネル５００の端子１６５、２６５に接続された制御部７００とを備える。送信電極１１０、受信電極２２０などを含むタッチパネル５００は、図１Ｂに示すようにカバーレンズ６００に装着されて表示部の前方に配置されて電子機器に搭載される。搭載時にタッチパネル５００は図４に示すように制御部７００に接続される。受信電極２２０は送信電極１１０からの電界を受信する。使用者は、表示部の表示内容を視認しつつ、カバーレンズ６００の表面を指等でタッチする等の操作をする。これによって、受信電極２２０で受信される電界の強度は変化する。すなわち、これによって、得られる静電容量が変化し、この静電容量の容量値の変化に応じて操作された位置を制御部７００で算出して電子機器の対応する機能が動作する。
【００２３】
タッチパネル５００の動作について以下に説明する。
【００２４】
タッチパネル５００では、制御部７００は互いに隣り合う２つの送信電極１１０を対として同時に駆動していき、二本の隣り合う送信電極１１０を同時に駆動して動作させる。
【００２５】
まず、制御部７００は送信電極１２０Ａ、１３０Ａを同時に動作させる。つまり、制御部７００は図２に示す端子１６５Ａに例えば所定電位を入力することで、所定の信号２Ａ１にて配線１６０Ａを介して送信電極１２０Ａを駆動し、同時に端子１７５Ａに例えば所定電位を入力して所定の信号３Ａ１にて配線１７０Ａを介して送信電極１２０Ｂを駆動する。望ましくは、送信電極１２０Ａ、１２０Ｂに入力される所定の信号２Ａ１、３Ａ１は、駆動電圧値や駆動時間の長さやタイミング等が同じである同じ信号である。なお、以下の説明では、対となる送信電極１１０をこの条件で駆動している場合について説明している。そして、上述したように送信電極１２０Ａと送信電極１３０Ａとを駆動して同時に動作させている状態では、受信電極２２０は送信電極１２０Ａと送信電極１３０Ａからの電界を受信し、受信電極２２０で受信した電界の強度に応じた容量値を得られる。図５は得られる容量値を示し、詳細には、互いに隣り合う送信電極を同時に動作させている状態で得られる容量値を示す。図５において、横軸は方向Ｘ１（Ｘ２）での位置を示し、縦軸はその位置で得られた容量値を任意単位（Ａ．Ｕ．）で示す。図５から判るように、得られた容量値は、Ｘ１方向に沿ってほぼ一定の大きさを有して均一である。複数の受信電極２２０は、送信電極１１０と直角に細長く延びて基板２００に設けられた帯形状を有する。複数の受信電極２２０は複数の送信電極１１０から一定の間隔を空けて離れて配置されている。
【００２６】
送信電極１２０Ａ、１３０Ａを対として同時に同じ信号２Ａ１、３Ａ１でそれぞれ動作させている状態では、駆動された送信電極１２０Ａ、１３０Ａの両者が発生する電界が受信電極２２０に作用することで図５に示す容量値を得られる。このとき、送信電極１２０Ａでは、送信電極１２０Ａの抵抗による電圧降下の影響で開放端である方向Ｘ２の端部の電界の強度は弱い。送信電極１３０Ａでは、送信電極１３０Ａの抵抗による電圧降下の影響で開放端である方向Ｘ１の端部の電界の強度は弱い。つまり、方向Ｘ１の端部では、送信電極１２０Ａからの強度の強い電界および送信電極１３０Ａからの強度の弱い電界が同時に受信電極２２０に作用する。方向Ｘ２の端部では、送信電極１２０Ａからの強度の弱い電界および送信電極１３０Ａからの強度の強い電界が同時に受信電極２２０に作用する。送信電極１１０は同じ形状を有するので、送信電極１２０Ａの駆動状態と送信電極１３０Ａの駆動状態は方向Ｘ１（Ｘ２）において互いに逆ではあるが同等もしくはほぼ同等となる。このため方向Ｘ１の端部と方向Ｘ２の端部とでの受信電極２２０への作用は同等もしくはほぼ同等に生じて、受信電極２２０で受信する電界の強度は方向Ｘ１の端部および方向Ｘ２の端部で同等もしくはほぼ同等の大きさになる。したがって、得られる容量値も同等もしくはほぼ同等の大きさになり、方向Ｘ１（Ｘ２）に沿っても同等もしくはほぼ同等の一定の大きさの均一的な容量値が得られる。
【００２７】
続いて、制御部７００は図２に示す対とする送信電極１１０を送信電極１２０Ａ、１３０Ａの対から送信電極１３０Ａ、１２０Ｂの対に切り換えて、送信電極１３０Ａ、１２０Ｂを駆動して同時に同じ信号３Ａ２、２Ｂ１でそれぞれ動作させる。送信電極１３０Ａに入力する所定の信号３Ａ２は、前述した所定の信号３Ａ１と同じ信号である。制御部７００は、端子１７５Ａに例えば所定電位を印加することで所定の信号３Ａ２にて配線１７０Ａを介して送信電極１３０Ａを駆動する。同時に、制御部７００は、端子１６５Ｂに例えば所定電位を印加することで所定の信号２Ｂ１にて配線１６０Ｂを介して送信電極１２０Ｂを駆動する。送信電極１２０Ｂ、１３０Ａに入力される所定の信号２Ｂ１、３Ａ２の駆動電圧値や駆動時間の長さやタイミング等は同じの同じ信号である。この場合でも、得られる容量値は、上述した送信電極１２０Ａと送信電極１３０Ａとを同時に動作させている図５に示す容量値と同じである。つまり、方向Ｘ１（Ｘ２）に沿って同等の大きさの均一的な一定の容量値が得られる。
【００２８】
送信電極１３０Ａ、１２０Ｂの組み合わせでも、受信電極２２０には、駆動された送信電極１３０Ａ、１２０Ｂの両者で発生する電界が作用して上記の容量値が得られる。例えば、方向Ｘ２の端部では送信電極１３０Ａからの強度の強い電界および送信電極１２０Ｂからの強度の弱い電界が同時に受信電極２２０に作用する。方向Ｘ１の端部では、送信電極１３０Ａからの強度の弱い電界および送信電極１２０Ｂからの強度の強い電界が同時に受信電極２２０に作用する。そして、上述同様に、送信電極１１０は同じ形状を有し、送信電極１３０Ａの駆動状態と送信電極１２０Ｂの駆動状態は方向Ｘ１（Ｘ２）において逆ではあるが同等もしくはほぼ同等であるため、方向Ｘ１の端部と方向Ｘ２の端部とでの受信電極２２０への作用は同等に生じて、方向Ｘ１の端部および方向Ｘ２の端部で得られる容量値は互いに同等の大きさで、かつ方向Ｘ１（Ｘ２）に沿っても同等の大きさの均一的な一定の容量値が得られる。
【００２９】
その後、同様に、制御部７００は、対とする送信電極１１０を送信電極１２０Ｂ、１３０Ａの対から送信電極１２０Ｂ、１３０Ｂの対に切り換えて、送信電極１２０Ｂ、１３０Ｂを駆動して同時に同じ信号２Ｂ２、３Ｂ１でそれぞれ動作させる。送信電極１２０Ｂに入力する所定の信号２Ｂ２は、前述した所定の信号２Ｂ１と同じ信号である。送信電極１２０Ｂは端子１６５Ｂおよび配線１６０Ｂを通じて駆動され、送信電極１３０Ｂは端子１７５Ｂおよび配線１７０Ｂを通じて駆動される。なお、送信電極１２０Ｂ、１３０Ｂに入力される所定の信号２Ｂ２、３Ｂ１の駆動電圧値や駆動時間の長さやタイミング等は同じの同じ信号である。
【００３０】
その後、同様に、制御部７００は、図２に示す対とする送信電極１１０を送信電極１２０Ｂ、１３０Ｂの対から送信電極１２０Ｃ、１３０Ｂの対に切り換えて、送信電極１２０Ｃ、１３０Ｂを駆動して同時に同じ信号２Ｃ１、３Ｂ２でそれぞれ動作させる。送信電極１３０Ｂに入力する所定の信号３Ｂ２は、前述した所定の信号３Ｂ１と同じ信号である。送信電極１２０Ｃは端子１６５Ｃおよび配線１６０Ｃを通じて駆動され、送信電極１３０Ｂは端子１７５Ｂおよび配線１７０Ｂを通じて駆動される。なお、送信電極１２０Ｃ、１３０Ｂに入力される所定の信号２Ｃ１、３Ｂ２の駆動電圧値や駆動時間の長さやタイミング等は同じの同じ信号である。
【００３１】
さらに、以後も、制御部７００は、送信電極１１０を一本ずつ方向Ｙ２にずらしていき、方向Ｙ１（Ｙ２）に互いに隣り合う２つの送信電極１１０を対として同時に駆動して同時に動作させる。その結果、いずれの対でも、得られる容量値は方向Ｘ１（Ｘ２）に沿って同等の大きさの均一的な一定である。
【００３２】
タッチパネル５００の検知領域５００Ａ内で指等の対象物で接触もしくは近接すると、その位置での容量値が局部的に変化する。制御部７００は上記の容量値の局部的な変化を検出することで、タッチパネル５００の接触もしくは近接した位置を検出することができる。
【００３３】
静電容量式のタッチパネルは、タッチ操作に対して精度のよい検出を要望される。特許文献１に開示されているタッチパネルでは、下基板に形成した複数の送信電極の全ては一端のみに接続された配線を有し、他端を開放端にしている。全ての送信電極は、開放端を同じ側に向けて配置されている。個々の配線を通じて対応する送信電極を駆動すると、送信電極からの電界の強度は開放端に近づくにつれて電圧降下の影響で弱まる。このため、送信電極の他端に応じた位置で受信する受信電極の電界の強度は、送信電極の一端に応じた位置で受信する受信電極の電界の強度に対して小さくなる。つまり、送信電極の他端に応じた位置で得られる容量値と送信電極の一端に応じた位置で得られる容量値とで差を生じる。
【００３４】
静電容量式のタッチパネルは、タッチ操作に対して精度のよい検出を要望される。特許文献１に開示されているタッチパネルでは、上記のように得られる容量値に差を有すると、タッチ操作時の検出精度の向上に影響を及ぼすことがある。
【００３５】
実施形態におけるタッチパネル５００では、制御部７００は方向Ｙ１（Ｙ２）に互いに隣り合う送信電極１１０の複数の対のそれぞれの対の送信電極１１０を同時に駆動して複数の対を順に駆動し、対毎に動作させる。なお、制御部７００は、対とする送信電極１１０は方向Ｙ１の端に位置する送信電極１１０から方向Ｙ２の端に位置する送信電極１１０に亘って順に切り換えていく。この対毎に動作させている状態で得られる容量値を図６に模式的に示す。図６は、隣り合う送信電極を同時に動作させている状態で得られる容量値を示す。図６において、Ｘ軸は方向Ｘ１（Ｘ２）での位置を示し、Ｙ軸は方向Ｙ１（Ｙ２）での位置を示す。Ｚ軸は得られた容量値を任意単位（Ａ．Ｕ．）で示す。すなわち、図６では、Ｘ軸とＹ軸とを含むＸＹ平面に送信電極１１０が配置されており、得られた容量値を示す。
【００３６】
図６に示すように、タッチパネル５００において、互いに隣り合う送信電極１１０よりそれぞれなる複数の対の各対の送信電極１１０を同時に動作させ、動作させる対を方向Ｙ２に順にずらしていくと、方向Ｘ１（Ｘ２）および方向Ｙ１（Ｙ２）のいずれに沿っても、ほぼ同じ容量値が得られる。これにより、タッチパネル５００のタッチ操作が制御部７００で良好に検出できる。また、検出時における補正処理も少なくできる。
【００３７】
次に、タッチパネル５００の送信電極１１０を一本ずつ順に駆動して動作させる比較例の動作について説明する。図７はタッチパネル５００において一本ずつで送信電極１２０を動作させている状態で得られる方向Ｘ１（Ｘ２）での容量値を示す。図８はタッチパネル５００において一本ずつで送信電極１３０を動作させている状態で得られる容量値を示す。図７と図８において、横軸は方向Ｘ１（Ｘ２）での位置を示し、縦軸は容量値を任意単位（Ａ．Ｕ．）で示す。
【００３８】
まず、送信電極１２０Ａのみを駆動して、送信電極１２０Ａのみを動作させる。この場合、受信電極２２０は、送信電極１２０Ａからの電界を受信し、受信電極２２０で受信した電界の強度に応じた容量値を得られる。得られた容量値を図７に示す。図７に示したように、得られた容量値は、方向Ｘ１（Ｘ２）での中央に対して方向Ｘ１の端部が高く、方向Ｘ２の端部が低く、方向Ｘ１の端部から方向Ｘ２の端部にかけて順次低くなる。この要因は、送信電極１２０Ａでは開放端である方向Ｘ２の端部に近づくにつれ電圧降下が大きくなり、配線１６０Ａと接続された方向Ｘ１の端部で発生する電界の強度より方向Ｘ２の端部で発生する電界の強度は弱くなる。他の送信電極１１０は駆動されておらず動作していないので、送信電極１２０Ａからの電界が受信電極２２０に作用する。したがって、受信電極２２０で受信する電界の強度は方向Ｘ１の端部から方向Ｘ２の端部にかけて低くなり、得られる容量値は方向Ｘ１の端部から方向Ｘ２の端部にかけて低くなる。なお、方向Ｘ１（Ｘ２）に沿う容量値の差は、例えば大型化に対応するように送信電極１１０が長くなるほど電圧降下の影響を受けて大きくなる。
【００３９】
次に、送信電極１３０Ａのみを駆動して、送信電極１３０Ａのみを動作させる。この場合、得られた容量値は、図８に示したように、方向Ｘ１（Ｘ２）での中央に対して方向Ｘ１の端部が低く、方向Ｘ２の端部が高く、方向Ｘ１の端部から方向Ｘ２の端部にかけて順次高くなる。この要因は、方向Ｘ１に開放端を有する送信電極１３０Ａでは、方向Ｘ１の端部に近づくにつれ電圧降下が大きくなって、配線１７０Ａと接続された方向Ｘ２の端部で発生する電界の強度よりも方向Ｘ１の端部で発生する電界の強度は弱くなる。そして、他の送信電極１１０は駆動されておらず動作していないので、送信電極１３０Ａからの電界が受信電極２２０に作用して、受信電極２２０で受信する電界の強度は方向Ｘ１の端部から方向Ｘ２の端部にかけて高くなって、得られる容量値は方向Ｘ１の端部から方向Ｘ２の端部にかけて高くなる。なお、方向Ｘ１（Ｘ２）に沿う容量値の差は、例えば大型化に対応するように送信電極１１０が長くなるほど大きくなる。なお、送信電極１１０の形状や駆動状態は互いに同じなので、送信電極１２０Ａのみを動作させた状態での送信電極１２０Ａの開放端で得られた低い容量値は、送信電極１３０Ａのみを動作させた状態での送信電極１３０Ａの開放端で得られた低い容量値とほぼ同じである。送信電極１２０Ａのみを動作させた状態での送信電極１２０Ａの配線１５０に接続された端部で得られた高い容量値は、送信電極１３０Ａのみを動作させた状態での送信電極１３０Ａの配線１５０に接続された端部で得られた高い容量値とほぼ同じである。
【００４０】
続いて送信電極１２０Ｂのみを駆動して動作させる。この場合、得られた容量値は、送信電極１２０Ａのみを駆動して動作させている状態と同等である。つまり、上述の電圧降下により、方向Ｘ１（Ｘ２）での中央に対して方向Ｘ１の端部での容量値は高く、方向Ｘ２の端部での容量値が低く、方向Ｘ１の端部から方向Ｘ２の端部にかけて容量値は徐々に順次低くなる。このように、送信電極１２０Ｂのみを駆動して動作させた状態での容量値は、送信電極１２０Ａのみを駆動して動作させた状態での容量値と同等である。そして、続いて送信電極１３０Ｂのみを駆動して動作させている状態で得られた容量値は、上述の電圧降下により、送信電極１３０Ａのみを駆動して動作させている状態と同等である。
【００４１】
図９は、上述のように、送信電極１１０を一本ずつ方向Ｙ１の端から方向Ｙ２の端に駆動して動作させていって得られる容量値を模式化して示す。図９において、Ｘ軸は方向Ｘ１（Ｘ２）における位置を示し、Ｙ軸は方向Ｙ１（Ｙ２）における位置を示し、Ｚ軸は容量値を示す。すなわち、図９は、Ｘ軸とＹ軸とを含むＸＹ平面に送信電極１１０が配置された状態で得られた容量値を示す。
【００４２】
図９に示すように、送信電極１１０を一本ずつ順に駆動して動作させている状態では、得られる容量値は、方向Ｘ２の端部に比べて方向Ｘ１の端部が高い傾斜と、方向Ｘ２の端部に比べて方向Ｘ１の端部が低い傾斜とが交互に繰り返される。つまり、得られる容量値は方向Ｘ１（Ｘ２）に沿って傾斜しており、かつその傾斜の方向は方向Ｙ１（Ｙ２）では逆である。この場合、タッチ操作などの検出精度の向上は図り難い。
【００４３】
以上のように、実施形態におけるタッチパネル５００では、送信電極１２０、１３０は方向Ｙ１（Ｙ２）において交互に配列されており、互いに隣り合う二本の送信電極１２０、１３０よりそれぞれなる複数の対のそれぞれの対の送信電極を同時に駆動し同時に動作させる。この動作により、方向Ｘ１（Ｘ２）と方向Ｙ１（Ｙ２）においても得られる容量値は均一で一定になり、タッチ操作を高精度に検出できる。また、検出時における補正処理なども少なくできる。そして、送信電極１２０Ａ、１２０Ｂ、…は方向Ｘ１の側のみに配置された配線１６０Ａ、１６０Ｂ、…にそれぞれ接続され、送信電極１３０Ａ、１３０Ｂ、…は方向Ｘ２の側のみに配置された配線１７０Ａ、１７０Ｂ、…にそれぞれ接続されている。つまり、複数の送信電極１１０のそれぞれの片方の端部のみに配線１５０が接続されているので、送信電極１１０が配置された検知領域５００Ａの周囲の部分５００Ｂ（図１Ｂ参照）を狭くして狭額縁化への対応も可能である。
【００４４】
以上では、送信電極１１０の内、方向Ｙ１（Ｙ２）においた互いに隣り合う二本の送信電極１１０を対として同時に動作させる。対として選択する送信電極１１０の数は二本に限られない。例えば図２に示す構成では、方向Ｙ１（Ｙ２）において互いに隣り合う四本の送信電極１１０を同時に動作させてもよい。例えば、制御部７００は図２に示す送信電極１２０Ａ、１２０Ｂ、１３０Ａ、１３０Ｂを同時に同じ信号で駆動して動作させて受信電極２２０との間の容量値を得る。この容量値は、方向Ｘ１（Ｘ２）において均一で一定である。その次に、方向Ｙ１で最も外方の送信電極１２０Ａを外して、方向Ｙ２で最も外方に隣り合う送信電極１２０Ｃを加えて、互いに隣り合う四本の送信電極１２０Ｂ、１２０Ｃ、１３０Ａ、１３０Ｂを同じ信号で同時に駆動して動作させて受信電極２２０との間の容量値を得る。得られる容量値は均一であり、送信電極１２０Ａ、１２０Ｂ、１３０Ａ、１３０Ｂの動作で得られた容量値と同じである。なお、四本の送信電極１１０を同時に動作させる構成では、送信電極１２０Ａの方向Ｙ２に、送信電極１２０Ｂ、送信電極１３０Ａ、送信電極１３０Ｂの順で配置されていてもよい。つまり、二本の送信電極１２０と、送信電極１２０と同じ数の送信電極１３０とが、方向Ｙ１（Ｙ２）において繰り返して配置されていてもよい。
【００４５】
上述のように、複数の送信電極１１０は、方向Ｙ１（Ｙ２）において互いに隣り合う送信電極１２０Ａと送信電極１３０Ａとを含む。複数の配線１５０は、送信電極１２０Ａに接続された配線１６０Ａと、送信電極１３０Ａに接続された配線１７０Ａとを含む。送信電極１２０Ａは、配線１６０Ａが接続された一端と開放端である他端とを有して方向Ｘ２に一端から他端まで細長く延びている。送信電極１３０Ａは、配線１７０Ａが接続された一端と開放端である他端とを有して方向Ｘ２と反対の方向Ｘ１に一端から他端まで細長く延びている。送信電極１２０Ａと送信電極１３０Ａとは、配線１６０Ａと配線１７０Ａとを介してそれぞれ入力された信号２Ａ１と信号３Ａ１とにより同時に駆動される。
【００４６】
送信電極１２０Ａと送信電極１３０Ａとは実質的に同じ形状を有して同じ材質よりなって
送信電極１２０Ａと送信電極１３０Ａとは実質的に平行移動して重なる同じ形状を有していてもよい。
【００４７】
複数の送信電極１１０は同じ形状を有して同じ材質よりなっていてもよい。
【００４８】
複数の送信電極１１０は実質的に平行移動して重なる同じ形状を有していてもよい。
【００４９】
信号２Ａ１は信号３Ａ１と同じであってもよい。
【００５０】
タッチパネル５００は、方向Ｙ１（Ｙ２）と方向Ｘ１（Ｘ２）とに交差する方向Ｚ１に複数の送信電極１１０と間隔を空けて対向する１つ以上の受信電極２２０をさらに備える。
【００５１】
１つ以上の受信電極２２０は、方向Ｘ１（Ｘ２）に配列されてかつ方向Ｙ１（Ｙ２）に細長く延びる帯形状を実質的に有する。
【００５２】
タッチパネル装置８００は、タッチパネル５００と、信号２Ａ１と信号３Ａ１とをタッチパネル５００に供給する制御部７００とを備える。
【００５３】
複数の送信電極１２０と複数の送信電極１３０とは方向Ｙ１（Ｙ２）に配列されている。複数の配線１６０は、複数の送信電極１２０にそれぞれ接続されている。複数の配線１７０は、複数の送信電極１３０にそれぞれ接続されている。複数の送信電極１２０は、配線が接続された一端と開放端である他端とをそれぞれ有して方向Ｙ１（Ｙ２）に交差する方向Ｘ２に一端から他端まで細長く延びる帯形状を実質的に有する。複数の送信電極１３０は、配線が接続された一端と開放端である他端とをそれぞれ有して方向Ｘ２と反対の方向Ｘ１に一端から他端まで細長く延びる帯形状を実質的に有する。複数の送信電極１２０のうちの１つの送信電極１２０Ａは、複数の送信電極１３０のうちの１つの送信電極１３０Ａと方向Ｙ１（Ｙ２）において隣り合っている。１つの送信電極１２０Ａは、複数の配線１６０のうちの１つの配線１６０Ａが接続された一端と開放端である他端とを有して方向Ｘ２に一端から他端まで細長く延びている。１つの送信電極１３０Ａは、複数の配線１７０のうちの１つの配線１７０Ａが接続された一端と開放端である他端とを有して方向Ｘ１に一端から他端まで細長く延びている。１つの送信電極１２０Ａと１つの送信電極１３０Ａとは、１つの配線１６０Ａと１つの配線１７０Ａとを介してそれぞれ入力された信号２Ａ１と信号３Ａ１とにより同時に駆動される。
【００５４】
複数の送信電極１２０と複数の送信電極１３０とは実質的に同じ形状を有して同じ材質よりなっていてもよい。
【００５５】
複数の送信電極１２０と複数の送信電極１３０とは実質的に平行移動して重なる同じ形状を有していてもよい。
【００５６】
信号２Ａ１は信号３Ａ１と同じであってもよい。
【００５７】
複数の送信電極１２０と複数の送信電極１３０とは方向Ｙ１（Ｙ２）において交互に配列されていてもよい。
【００５８】
複数の送信電極１２０のうちの任意の送信電極１２０Ａ（１２０Ｂ、・・・）は、複数の送信電極１３０のうちの所定の送信電極１３０Ａ（１３０Ｂ、・・・）と方向Ｙ１（Ｙ２）において互いに隣り合っている。任意の送信電極１２０Ａ（１２０Ｂ、・・・）は、複数の配線１６０のうちの所定の配線１６０Ａ（１６０Ｂ、・・・）が接続された一端と開放端である他端とを有して方向Ｘ２（Ｘ１）に一端から他端まで細長く延びている。所定の送信電極１３０Ａ（１３０Ｂ、・・・）は、複数の配線１７０のうちの所定の配線１７０Ａ（１７０Ｂ、・・・）が接続された一端と開放端である他端とを有して方向Ｘ１（Ｘ２）に一端から他端まで細長く延びている。任意の送信電極１２０Ａ（１２０Ｂ、・・・）と所定の送信電極１３０Ａ（１３０Ｂ、・・・）とは、所定の配線１６０Ａ（１６０Ｂ、・・・）と所定の配線１７０Ａ（１７０Ｂ、・・・）とを介してそれぞれ入力された所定の信号２Ａ１（２Ｂ１、・・・）と更なる所定の信号３Ｂ１（３Ｂ２、・・・）とにより同時に駆動される。
【００５９】
所定の信号２Ａ１（２Ｂ１、・・・）は更なる所定の信号３Ｂ１（３Ｂ２、・・・）と同じであってもよい。
【００６０】
複数の送信電極１２０と複数の送信電極１３０は実質的に同じ形状を有して同じ材質よりなっていてもよい。
【００６１】
複数の送信電極１２０と複数の送信電極１３０は平行移動して重なる同じ形状を有していてもよい。
【００６２】
タッチパネル５００は、方向Ｙ１（Ｙ２）と方向Ｘ１（Ｘ２）とに交差する方向Ｚ１に複数の送信電極１２０と複数の送信電極１３０と間隔を空けて対向する１つ以上の受信電極２２０を備える。
【００６３】
１つ以上の受信電極２２０は、方向Ｘ１（Ｘ２）に配列されてかつ方向Ｙ１（Ｙ２）に細長く延びる帯形状を実質的に有していてもよい。
【００６４】
１つ以上の受信電極２２０は複数の受信電極２２０であってもよい。
【００６５】
制御部７００は、信号２Ａ１と信号３Ａ１と所定の信号２Ｂ１（２Ｂ２、・・・）と更なる所定の信号３Ａ２（３Ｂ１、・・・）とをタッチパネル５００に供給してもよい。
【００６６】
タッチパネル装置８００の上記の動作では、タッチパネル５００の送信電極１１０（１２０、１３０）に信号を入力して駆動して、受信電極２２０から出力される信号に基づいてタッチパネル５００への接触または近接を検出する。タッチパネル装置８００では、他の動作として、タッチパネル５００の受信電極２２０に信号を入力して駆動して、送信電極１１０（１２０、１３０）から出力される信号に基づいてタッチパネル５００への接触または近接を検出することができる。図１０はタッチパネル５００のこの動作を示す平面図である。図１０において、図１Ａから図７に示すタッチパネル５００と同じ部分には同じ参照符号を付す。図１０に示す動作では、送信電極１２０（１２０Ａ、１２０Ｂ、・・・）、１３０（１３０Ａ、１３０Ｂ、・・・）は信号を出力する横電極として機能し、受信電極２２０は信号を入力されて駆動される縦電極として機能する。以下にこの動作を詳述する。
【００６７】
以下に図１０に示す動作を詳述する。まず、制御部７００は縦電極（受信電極）２００に信号を入力して駆動する。制御部７００は横電極（送信電極）１２０Ａ、１３０Ａから配線１６０Ａ、１７０Ａを介してそれぞれ同時に得られた信号２Ａ１ａ、３Ａ１ａを検出する。制御部７００は信号２Ａ１ａ、３Ａ１ａに基づいて静電容量の容量値を得る。実施の形態では、制御部７００は信号２Ａ１ａと信号３Ａ１ａとを合成して容量値を得る。このように、縦電極（受信電極）２００に入力された１つの信号に対して横電極（送信電極）１２０Ａ、１３０Ａから同時に得られた信号２Ａ１ａ、３Ａ１ａを検出している状態では、駆動された縦電極（受信電極）２２０が発生する電界が横電極（送信電極）１２０Ａ、１３０Ａに作用し、横電極（送信電極）１２０Ａ、１３０Ａで得られた信号２Ａ１ａ、３Ａ１ａを合成して得られた容量値は図５に示す方向Ｘ１（Ｘ２）に沿って均一で一定である。
【００６８】
続いて、制御部７００は図２に示す対とする横電極（送信電極）１１０を横電極（送信電極）１２０Ａ、１２０Ｂの対から横電極（送信電極）１３０Ａ、１２０Ｂの対に切り換えて、縦電極（受信電極）２２０に信号を入力して駆動し、横電極（送信電極）１３０Ａ、１２０Ｂから配線１７０Ａ、１６０Ｂを介して同時に得られた信号３Ａ２ａ、２Ｂ１ａを検出する。制御部７００は信号３Ａ２ａ、２Ｂ１ａに基づいて静電容量の容量値を得る。上記と同様に、制御部７００は信号３Ａ２ａ、２Ｂ１ａを合成して得られた容量値は、図５に示す容量値と同じである。つまり、方向Ｘ１（Ｘ２）に沿って同等の大きさの均一で一定の容量値が得られる。
【００６９】
その後、同様に、制御部７００は、対とする横電極（送信電極）１１０を横電極（送信電極）１２０Ｂ、１３０Ａの対から横電極（送信電極）１２０Ｂ、１３０Ｂの対に切り換えて、縦電極（受信電極）２２０を駆動して、横電極（送信電極）１２０Ｂ、１３０Ｂから配線１６０Ｂ、１７０Ｂを介して同時に得られた信号２Ｂ２ａ、３Ｂ１ａを検出する。制御部７００は信号２Ｂ２ａ、３Ｂ１ａを合成して容量値を得る。
【００７０】
その後、同様に、制御部７００は、図２に示す対とする横電極（送信電極）１１０を横電極（送信電極）１２０Ｂ、１３０Ｂの対から横電極（送信電極）１２０Ｃ、１３０Ｂの対に切り換えて、縦電極（受信電極）２２０を駆動して、横電極（送信電極）１２０Ｃ、１３０Ｂから配線１６０Ｃ、１７０Ｂを介して同時に得られた信号２Ｃ１ａ、３Ｂ２ａを検出する。制御部７００は信号２Ｃ１ａ、３Ｂ２ａを合成して容量値を得る。
【００７１】
さらに、以後も、制御部７００は、横電極（送信電極）１１０を一本ずつ方向Ｙ２にずらしていき、縦電極（受信電極）２２０を駆動し、方向Ｙ１（Ｙ２）に互いに隣り合う２つの横電極（送信電極）１１０を対としてそれらの横電極（送信電極）１１０から配線１５０を介して同時に得られた信号を検出して、それらの信号を合成した容量値を得る。その結果、いずれの対でも、得られる容量値は方向Ｘ１（Ｘ２）に沿って同等の大きさの均一的な一定である。
【００７２】
タッチパネル５００の検知領域５００Ａ内で指等の対象物で接触もしくは近接すると、その位置での容量値が局部的に変化する。制御部７００は上記のように得られた信号に基づいて容量値の変化を検出することで、タッチパネル５００の接触もしくは近接した位置を検出することができる。
【００７３】
実施の形態において、「上面」「上方」「横」「縦」等の方向を示す用語は基板や電極等のタッチパネルの構成部品の相対的な位置関係でのみ決まる相対的な方向を示し、鉛直方向等の絶対的な方向を示すものではない。
【産業上の利用可能性】
【００７４】
本発明にかかるタッチパネルは、検出精度に優れており、各種電子機器などに用いると有用である。
【符号の説明】
【００７５】
１００    基板
１１０    送信電極、横電極
１２０，１２０Ａ，１２０Ｂ，１２０Ｃ    送信電極（第１の送信電極、第１の横電極）
１３０，１３０Ａ，１３０Ｂ    送信電極、横電極（第２の送信電極、第２の横電極）
１５０，２５０    配線
１６０，１６０Ａ，１６０Ｂ    配線（第１の配線）
１７０，１７０Ａ，１７０Ｂ    配線（第２の配線）
１６５，１６５Ａ，１６５Ｂ    端子
１７５，１７５Ａ，１７５Ｂ    端子
２００    基板
２２０    受信電極、縦電極
２６５    端子
３００，３１０    粘着層
５００    タッチパネル
６００    カバーレンズ
７００    制御部
Ｘ１    方向（第２の方向）
Ｙ１    方向（第１の方向）
【図１Ａ】
2018074246.tif 000003
【図１Ｂ】
2018074246.tif 000004
【図２】
2018074246.tif 000005
【図３】
2018074246.tif 000006
【図４】
2018074246.tif 000007
【図５】
2018074246.tif 000008
【図６】
2018074246.tif 000009
【図７】
2018074246.tif 000010
【図８】
2018074246.tif 000011
【図９】
2018074246.tif 000012
【図１０】
2018074246.tif 000013
【手続補正書】
【提出日】平成31年3月1日(2019.3.1)
【手続補正１】
【補正対象書類名】明細書
【補正対象項目名】００１３
【補正方法】変更
【補正の内容】
【００１３】
複数の送信電極１１０は送信電極１２０（１２０Ａ、１２０Ｂ、…）と送信電極１３０（１３０Ａ、１３０Ｂ、…）とを含む。複数の配線１５０は配線１６０（１６０Ａ、１６０Ｂ、…）と配線１７０（１７０Ａ、１７０Ｂ、…）とを含む。送信電極１２０の方向Ｘ１の端部には配線１５０のうちの配線１６０が接続されている。送信電極１２０の方向Ｘ１の反対の方向Ｘ２の端部は開放端である。配線１６０の、送信電極１２０に接続された端部の反対側の端部には端子１６５が設けられている。送信電極１３０の方向Ｘ２の端部には配線１５０のうちの配線１７０が接続されている。送信電極１３０の方向Ｘ１の端部は開放端である。配線１７０の、送信電極１３０に接続された端部の反対側の端部には端子１７５が設けられている。
【手続補正２】
【補正対象書類名】明細書
【補正対象項目名】００６７
【補正方法】変更
【補正の内容】
【００６７】
以下に図１０に示す動作を詳述する。まず、制御部７００は縦電極（受信電極）２２０に信号を入力して駆動する。制御部７００は横電極（送信電極）１２０Ａ、１３０Ａから配線１６０Ａ、１７０Ａを介してそれぞれ同時に得られた信号２Ａ１ａ、３Ａ１ａを検出する。制御部７００は信号２Ａ１ａ、３Ａ１ａに基づいて静電容量の容量値を得る。実施の形態では、制御部７００は信号２Ａ１ａと信号３Ａ１ａとを合成して容量値を得る。このように、縦電極（受信電極）２２０に入力された１つの信号に対して横電極（送信電極）１２０Ａ、１３０Ａから同時に得られた信号２Ａ１ａ、３Ａ１ａを検出している状態では、駆動された縦電極（受信電極）２２０が発生する電界が横電極（送信電極）１２０Ａ、１３０Ａに作用し、横電極（送信電極）１２０Ａ、１３０Ａで得られた信号２Ａ１ａ、３Ａ１ａを合成して得られた容量値は図５に示す方向Ｘ１（Ｘ２）に沿って均一で一定である。
【手続補正３】
【補正対象書類名】明細書
【補正対象項目名】００６８
【補正方法】変更
【補正の内容】
【００６８】
続いて、制御部７００は図２に示す対とする横電極（送信電極）１１０を横電極（送信電極）１２０Ａ、１３０Ａの対から横電極（送信電極）１３０Ａ、１２０Ｂの対に切り換えて、縦電極（受信電極）２２０に信号を入力して駆動し、横電極（送信電極）１３０Ａ、１２０Ｂから配線１７０Ａ、１６０Ｂを介して同時に得られた信号３Ａ２ａ、２Ｂ１ａを検出する。制御部７００は信号３Ａ２ａ、２Ｂ１ａに基づいて静電容量の容量値を得る。上記と同様に、制御部７００は信号３Ａ２ａ、２Ｂ１ａを合成して得られた容量値は、図５に示す容量値と同じである。つまり、方向Ｘ１（Ｘ２）に沿って同等の大きさの均一で一定の容量値が得られる。
【国際調査報告】
2018074246.tif 000014
2018074246.tif 000015